(57)【要約】【課題】従来からある水族館、動物園、植物園あるいは昆虫館等はそれぞれ特定の種類を対象にした専門の施設であったため、それらのすべてを必要とする際には、莫大な建設費用と広大な敷地を必要とするほか、その維持管理に非常な出費を伴っていた。【解決手段】通路の側面、上面および床面に大型および小型のテレビ受像機あるいはスクリーンを配設した固定式建屋構造の多目的ビジュアル館あるいはトレーラー構造の移動式多目的ビジュアル館を設け、映像を投射する手段を集中管理制御システムによるものとし、それぞれの多目的ビジュアル館のニーズに応じて、水族館、昆虫館、動物館、植物館、鳥類館、宇宙天体館、博物館等の映像を適宜選択し、映像を電気信号化して有線あるいは無線によって所望の多目的ビジュアル館に送信し、遠隔操作によって制御を行う。【選択図】      図１
2004237001.tif 000002
【特許請求の範囲】
【請求項１】
鯨やいるか等の大型の生物または構造物の映像をほぼ実物大の大きさで投影し得る大きさのスクリーンを、隣接するスクリーン同士が接するようにして複数個併設させて形成したスクリーンならびに該スクリーンに映像を投射する手段を設けた大画面ゾーンと、
複数のハイビジョンスクリーンを配設して、実物を展示することが不可能な生物または構造物の映像を個々に観察し得る個別観察ゾーンと、
客席に固定された専用の偏光作用を有する窓を覗き込むことによって映像が立体的に見えるようにしたものである大型スクリーンならびに該スクリーンに映像を投射する手段を設けた立体大画面ゾーンと、
専用の偏光眼鏡を着用することによって映像が立体的に見えるようにしたスクリーンならびに該スクリーンに映像を投影する手段を複数組それぞれ所定の間隔を保持させて配設した、映像を個々に観察する立体画面観察ゾーンと、
細長い形状の部屋を形成し、該部屋の長手方向の全長にわたって天井部と、両側壁部と、床部とにそれぞれ複数個列設したハイビジョンスクリーンならびに該ハイビジョンスクリーンに映像を投射する手段を設けた潜行艇感覚のゾーンと、
天井の一部に取り付けた大型スクリーンならびに該スクリーンに映像を投射する手段を設けた見上げゾーンと、
大型スクリーンならびに該スクリーンにビデオからの映像を投射する手段と複数の観客用椅子を備えたビデオシアターゾーン
のうち、少なくとも２つ以上のゾーンを備え、
各ゾーンに投影する映像を選択して遠隔操作で送信する制御室を設けた
ことを特徴とする固定式の多目的ビジュアル館。
【請求項２】
トレーラーの荷台部に、
垂直大画面スクリーンと、見上げ大画面スクリーンとを有し、
上向きハイビジョンスクリーンと、垂直小画面ハイビジョンスクリーンと、見上げ小画面ハイビジョンスクリーンのうち、少なくとも１種類以上のスクリーンを配設するとともに、各スクリーンに映像を投影する手段を設けたトレーラーを設け、
各スクリーンに投影する映像を選択し遠隔操作で送信するとともに、所要の電力を原動機によって発電する発電・制御専用車を付設した
ことを特徴とする移動式の多目的ビジュアル館。
【請求項３】
トレーラーの荷台部に、
垂直大画面スクリーンと、見上げ大画面スクリーンとを有し、
上向きハイビジョンスクリーンと、垂直小画面ハイビジョンスクリーンと、見上げ小画面ハイビジョンスクリーンのうち、少なくとも１種類以上のスクリーンを配設するとともに、各スクリーンに映像を投影する手段を設けたトレーラーを少なくとも２台以上集結して、各トレーラーの垂直大画面スクリーンの両端部が隣接するように配置し、それによって連続した状態になるスクリーンによって内側に空間が形成されるようにし、当該空間側に面する垂直小画面スクリーンおよび見上げ小画面スクリーンの前面部、および上向きスクリーンの上面部にそれぞれ展示通路を設け、また少なくとも２台以上のトレーラーで囲まれた空間の上方にテントを張設して大投影スクリーンを設置できる大空間を形成させ、
各スクリーンに投影する映像を選択し遠隔操作で送信するとともに、所要の電力を原動機によって発電する発電・制御専用車を付設した
ことを特徴とする移動式の多目的ビジュアル館。
【請求項４】
ハイビジョンスクリーンが３Ｄハイビジョンスクリーンからなる請求項１〜請求項３のいずれか１項に記載の多目的ビジュアル館。
【請求項５】
スクリーンが投影機から投影された映像を映し出す幕からなる請求項１〜請求項３のいずれか１項に記載の多目的ビジュアル館。
【請求項６】
配設された複数のハイビジョンスクリーンが、大画面に投影された映像を観察し得るものである請求項１記載の多目的ビジュアル館。
【請求項７】
配設された複数のハイビジョンスクリーンが、個々に独立した映像を観察し得るものである請求項１記載の多目的ビジュアル館。
【請求項８】
専用の偏光眼鏡を着用することによって映像が立体的に見えるようにして複数個それぞれ所定の間隔を保持させて配設したスクリーンが、請求項１記載の立体大画面に投影された映像および、その任意の部分を観察者がビーム装置により指定し、個々に拡大観察し得るものである請求項１記載の多目的ビジュアル館。
【請求項９】
専用の偏光眼鏡を着用することによって映像が立体的に見えるようにして複数個それぞれ所定の間隔を保持させて配設したスクリーンが、個々に独立した映像を立体的に観察し得るものである請求項１記載の多目的ビジュアル館。
【請求項１０】
目的に応じて投影する対象を変化させることにより、請求項１〜請求項９のいずれか１項に記載のビジュアル館全体を、水族館、昆虫館、動物館、植物館、鳥類館、宇宙天体館、博物館等に瞬時に転換できる展示館として運用することを特徴とする多目的ビジュアル館の運用方法。
【請求項１１】
請求項１〜請求項９のいずれか１項に記載の多目的ビジュアル館を別々の地域に複数館配設し、映像を投射する手段を集中管理制御システムによって、それぞれの多目的ビジュアル館のニーズに応じて、水族館、昆虫館、動物館、植物館、鳥類館、宇宙天体館、博物館等の映像を適宜選択し、映像を電気信号化して有線あるいは無線によって所望の多目的ビジュアル館に送信し、遠隔操作によって制御を行うことを特徴とする多目的ビジュアル館の運用方法。
【請求項１２】
請求項１〜請求項９のいずれか１項に記載の多目的ビジュアル館を別々の地域に複数館配設し、集中管理システムによって、それぞれの多目的ビジュアル館のニーズに応じて、水族館、昆虫館、動物館、植物館、鳥類館、宇宙天体館、博物館等の映像を適宜選択し、映像を電気信号化して有線あるいは無線によって所望の多目的ビジュアル館に送信し、遠隔操作によって制御を行うとともに、
各分野の資料を備えた図書館の機能を有し、異なった地域に配備された各多目的ビジュアル館の現場における質問に対する回答に係る情報等のニーズに応じて、様々な視聴覚的資料を的確にかつ迅速に送信し得るようにしたことを特徴とする多目的ビジュアル館の運用方法。
【発明の詳細な説明】
【０００１】
【従来の技術】
陸上に住む人間が水中に生息する魚類や、空中を飛翔する鳥類の生態を実際に間近に見たり、密林で生活する猛獣の生態を至近距離で観察することや微小な昆虫の生態を感覚的にかつ詳細に知るといったことは中々に困難なことである。
そのため従来は地上をはじめ水中あるいは空中にカメラを移動させ、望遠レンズや拡大レンズを使用するなどして、それらの実像を撮影し、ビデオの形で通常のテレビあるいはハイビジョンテレビに放映することにより、一般の人々はそれらの生態を見ることが可能であった。
【０００２】
【発明が解決しようとする課題】
たしかに従来の技術においても、例えば魚の生態を放映するのに、単に通常のテレビの画面に映像を放映するのではなく、水部分の奥行き寸法が薄い水槽を製作して壁際に設置し、その水槽内に実物の水を上方部まで満たし、当該水槽の背面に配設した特殊なスクリーンに水中で撮影した魚類の生態のビデオからの映像を投射することにより、あたかも当該水槽内に実物の魚が存在して遊泳しているかのような状態を現出させること等が行われている。
【０００３】
しかしながら上記従来の技術においては、テレビ画面の大きさがほぼ通常のテレビ画面の寸法であったことから、如何にリアルに見えるといっても所詮は従来のテレビで動物番組の画面を見ているのと同様に、単に放映された映像を見ているというに過ぎず、その映像を見ただけで実物を見たことがない人達が例えば鯨や鯱の大きさを体で感じとるということは難しく、或いは人が近づくことが困難な非常な深さの海中の雰囲気を実感し、その雰囲気の中で行動している深海魚の様子を間近で観察するなどということは叶えられないことであった。
【０００４】
またそれとは別に、従来からある水族館、動物園、植物園あるいは昆虫館等はそれぞれ特定の種類を対象にした専門の施設であったため、それらのすべてを必要とする際には、それらを個々にすべて建設しなければならず、その場合莫大な建設費用が必要になるほか広大な敷地を確保しなければならないという課題が生ずる。
【０００５】
仮にそれらをすべて建設したとしても、例えば水族館の場合には水の管理・補給の問題があるほか、それを一般の人々に公開する場合には更にそれぞれの専門の学芸員が必要になる。また専門の学芸員が対応した場合でも来館者からの質問に対して口頭だけでなく具体的な図あるいは映像を示して回答する際に、書庫から必要な図鑑等の資料を探しだし、それに基づいて説明するという従来のやり方では、説明に長時間を要するだけでなく大勢の来館者に対して十分にいきわたる説明を行うことは困難であるとともに、従来はそこまでの学習的サービスを行っている施設は皆無である。また、その実施にかかる費用を計上すると運営が事実上不可能になる。
【０００６】
更に、各種の魚介類、動物、植物、昆虫の飼育、管理、補充を常に行わねばならないということは、そのための費用、労力が極めて莫大なものになり、現実にそのために多くの水族館や動物園、植物園が経営困難なことを理由に展示内容が劣化し、展示物が生き物であるためそれらの死亡による補充もままならず、それが特殊な品種であれば全く再展示できないことから、廃館、廃園せざるを得なくなるという不具合を有していた。
【０００７】
本発明はこのような現状に鑑みてなされたもので、ビルが林立する繁華な街中や、逆に交通が不便な山深い町や村等においても、限られた面積の敷地内おいて、低廉な建設費および維持費によって、前記水族館、動物園、植物園あるいは昆虫館等に匹敵し、あるいはそれ以上にリアルにまた学術的に高いレベルでの展示あるいは解説を行うことが可能な設備を提供することを目的としている。
【０００８】
【課題を解決するための手段】
上記の目的は前記特許請求の範囲に記載された多目的ビジュアル館によって達成される。すなわち
（１）  鯨やいるか等の大型の生物または構造物の映像をほぼ実物大の大きさで投影し得る大きさのスクリーンを、隣接するスクリーン同士が接するようにして複数個併設させて形成したスクリーンならびに該スクリーンに映像を投射する手段を設けた大画面ゾーンと、
複数のハイビジョンスクリーンを配設して、実物を展示することが不可能な生物または構造物の映像を個々に観察し得る個別観察ゾーンと、
客席に固定された専用の偏光作用を有する窓を覗き込むことによって映像が立体的に見えるようにしたものである大型スクリーンならびに該スクリーンに映像を投射する手段を設けた立体大画面ゾーンと、
専用の偏光眼鏡を着用することによって映像が立体的に見えるようにしたスクリーンならびに該スクリーンに映像を投影する手段を複数組それぞれ所定の間隔を保持させて配設した、映像を個々に観察する立体画面観察ゾーンと、
細長い形状の部屋を形成し、該部屋の長手方向の全長にわたって天井部と、両側壁部と、床部とにそれぞれ複数個列設したハイビジョンスクリーンならびに該ハイビジョンスクリーンに映像を投射する手段を設けた潜行艇感覚のゾーンと、
天井の一部に取り付けた大型スクリーンならびに該スクリーンに映像を投射する手段を設けた見上げゾーンと、
大型スクリーンならびに該スクリーンにビデオからの映像を投射する手段と複数の観客用椅子を備えたビデオシアターゾーン
のうち、少なくとも２つ以上のゾーンを備え、
各ゾーンに投影する映像を選択して遠隔操作で送信する制御室を設けた固定式の多目的ビジュアル館。
【０００９】
（２）  トレーラーの荷台部に、垂直大画面スクリーンと、見上げ大画面スクリーンとを有し、
上向きハイビジョンスクリーンと、垂直小画面ハイビジョンスクリーンと、見上げ小画面ハイビジョンスクリーンのうち、少なくとも１種類以上のスクリーンを配設するとともに、各スクリーンに映像を投影する手段を設けたトレーラーを設け、
各スクリーンに投影する映像を選択し遠隔操作で送信するとともに、所要の電力を原動機によって発電する発電・制御専用車を付設した移動式の多目的ビジュアル館。
【００１０】
（３）  トレーラーの荷台部に、垂直大画面スクリーンと、見上げ大画面スクリーンとを有し、
上向きハイビジョンスクリーンと、垂直小画面ハイビジョンスクリーンと、見上げ小画面ハイビジョンスクリーンのうち、少なくとも１種類以上のスクリーンを配設するとともに、各スクリーンに映像を投影する手段を設けたトレーラーを少なくとも２台以上集結して、各トレーラーの垂直大画面スクリーンの両端部が隣接するように配置し、それによって連続した状態になるスクリーンによって内側に空間が形成されるようにし、当該空間側に面する垂直小画面スクリーンおよび見上げ小画面スクリーンの前面部、および上向きスクリーンの上面部にそれぞれ展示通路を設け、また少なくとも２台以上のトレーラーで囲まれた空間の上方にテントを張設して大投影スクリーンを設置できる大空間を形成させ、
各スクリーンに投影する映像を選択し遠隔操作で送信するとともに、所要の電力を原動機によって発電する発電・制御専用車を付設した移動式の多目的ビジュアル館。
【００１１】
（４）  ハイビジョンスクリーンが３Ｄハイビジョンスクリーンからなる（１）  〜（３）  のいずれか１項に記載の多目的ビジュアル館。
【００１２】
（５）  スクリーンが投影機から投影された映像を映し出す幕からなる（１）  〜（３）  のいずれか１項に記載の多目的ビジュアル館。
【００１３】
（６）  配設された複数のハイビジョンスクリーンが、大画面に投影された映像を観察し得るものである（１）  記載の多目的ビジュアル館。
【００１４】
（７）  配設された複数のハイビジョンスクリーンが、個々に独立した映像を観察し得るものである（１）  記載の多目的ビジュアル館。
【００１５】
（８）  専用の偏光眼鏡を着用することによって映像が立体的に見えるようにして複数個それぞれ所定の間隔を保持させて配設したスクリーンが、（１）  記載の立体大画面に投影された映像および、その任意の部分を観察者がビーム装置により指定し、個々に拡大観察し得るものである（１）  記載の多目的ビジュアル館。
【００１６】
（９）  専用の偏光眼鏡を着用することによって映像が立体的に見えるようにして複数個それぞれ所定の間隔を保持させて配設したスクリーンが、個々に独立した映像を立体的に観察し得るものである（１）  記載の多目的ビジュアル館。
【００１７】
（１０）目的に応じて投影する対象を変化させることにより、（１）  〜（９）  のいずれか１項に記載のビジュアル館全体を、水族館、昆虫館、動物館、植物館、鳥類館、宇宙天体館、博物館等に瞬時に転換できる展示館として運用する多目的ビジュアル館の運用方法。
【００１８】
（１１）（１）  〜（９）  のいずれか１項に記載の多目的ビジュアル館を別々の地域に複数館配設し、映像を投射する手段を集中管理制御システムによって、それぞれの多目的ビジュアル館のニーズに応じて、水族館、昆虫館、動物館、植物館、鳥類館、宇宙天体館、博物館等の映像を適宜選択し、映像を電気信号化して有線あるいは無線によって所望の多目的ビジュアル館に送信し、遠隔操作によって制御を行う多目的ビジュアル館の運用方法。
【００１９】
（１２）（１）  〜（９）  のいずれか１項に記載の多目的ビジュアル館を別々の地域に複数館配設し、集中管理システムによって、それぞれの多目的ビジュアル館のニーズに応じて、水族館、昆虫館、動物館、植物館、鳥類館、宇宙天体館、博物館等の映像を適宜選択し、映像を電気信号化して有線あるいは無線によって所望の多目的ビジュアル館に送信し、遠隔操作によって制御を行うとともに、
各分野の資料を備えた図書館の機能を有し、異なった地域に配備された各多目的ビジュアル館の現場における質問に対する回答に係る情報等のニーズに応じて、様々な視聴覚的資料を的確にかつ迅速に送信し得るようにした多目的ビジュアル館の運用方法である。
以下、本発明の作用等について発明の実施の形態に基づいて説明する。
【００２０】
【発明の実施の形態】
図１は本発明の第１の実施の形態を示す図で、請求項１に記載の固定式の多目的ビジュアル館の一例を示す平面図である。図１において１は多目的ビジュアル館、２は大画面ゾーン、３は個別観察ゾーン、４は立体大画面ゾーン、５は立体観察ゾーン、６は潜行艇感覚のゾーン、７は見上げゾーン、８，９はプロジェクター室、１０はビデオシアターゾーン、１１は制御室、１２は資料室、１３は多目的ビジュアル館の入口である。
【００２１】
該第１の実施の形態においては多目的ビジュアル館１の入口１３から室内に入った左側に潜行艇感覚のゾーン６を設けてある。潜行艇感覚のゾーン６は細長い部屋の形状を有し、その部屋の天井部と両側壁部および床部は、部屋の長手方向のほぼ全長にわたって部屋の内面側にハイビジョンスクリーンを複数列設してあり、例えば多目的ビジュアル館の映像の対象を水族館にした場合、予め深海艇等を利用して撮影した深さ２千メートルとか４千メートルとかの深海の全方位の映像を制御室１１から適宜各ハイビジョンスクリーンに投影することにより、観客は恰も自分自身が水中に身をおいて周囲を遊泳している魚類や貝や海草等を観察しているような状況を現出させることができる。
【００２２】
多目的ビジュアル館の館内中央部には大画面ゾーン２が配設されている。該ゾーン２は外側全面を映像面で構成し、鯨やしゃち、いるか等の水中に生息している巨大な生き物の生態をほぼ実物大の大きさで投影することができる。該ゾーン２は図１に示すように外側面５面のうち４面を映写幕と、各映写幕に映像を投射するプロジェクターとによって構成し、館内の通路に面した残りの１面に多数のハイビジョンスクリーンを配設することによって構成し、制御室からの信号に基づいて各プロジェクターから各映写幕に映像を投射することによって連続した大画面を映し出すとともに、各ハイビジョンスクリーンに映像を送信することによって連続した映像、あるいは個々に独立した映像を映し出すことができる。
【００２３】
またこれ以外に、例えば大画面ゾーン２の外側全面を複数の映写幕で構成し、各映写幕によって囲まれた空間内にプロジェクタを配設して、映写幕の内側から各映写幕に映像を投射することにより、全体を連続した大画面に構成することも可能であるほか、逆に５面全体にハイビジョンスクリーンを配設し、制御室からの信号に基づいて全体を１つの連続した画面にすることも可能である。
【００２４】
大画面ゾーン２の一面に対面する位置に個別観察ゾーン３が配設してある。該個別観察ゾーン３は前記大画面ゾーンに投影されている画面と同一画面を個々に投影することによって、観客に邪魔されることなく、全体を観察し得るほか、大画面の全体像を複数の区画に分け、その中で観察者がビーム装置により指定する任意の箇所を選択することにより、その部分を手元の画面に取り出し観察でき、プログラムの構成によってはその部分に関する大画面に投影されていない詳細影像を取り出すことも可能となる。
【００２５】
大画面ゾーン２と通路を隔てて立体大画面ゾーン４を設けてある。該立体大画面ゾーン４は、５つの面によって構成されており、その内の最も大きい１つの面を立体画面専用としている。その立体画面専用映写幕に対面する位置に立体画面観賞専用の立体画面観察ゾーン５を設け、複数のハイビジョンスクリーンとそれに並んで固定式の立体画面観賞用の偏光窓を取り付け、観客が従来のように個々に立体映像を見るための特別な眼鏡を着用することなく、自然の岩の裂け目風に構成された偏光作用を有する窓等から立体大画面に投影されている映像を観賞することができるようにしてある。
【００２６】
立体大画面ゾーン４を形成する他の４面には、ハイビジョンスクリーンが取り付けられており、立体大画面ゾーン４を構成する各投射幕あるいは複数のハイビジョンスクリーンを配設して構成した壁面によって囲まれた空間内に設置されたプロジェクタから各投射幕に映像を投射し、あるいは制御室からの映像・音声信号に基づいてハイビジョンテレビ映像を映し出し、それ等の映像を順次に観察することを可能にしている。
【００２７】
立体大画面ゾーン４と通路を隔ててビデオシアタ１０が設けられており、水中生物の生態、進化の過程、分類等の学術的な説明等を行えるようにしてある。
【００２８】
前記個別観察ゾーン３と立体画面観察ゾーン５の中間部の天井部に、ハイビジョンスクリーンを複数配設して見上げゾーン７を設ける。該見上げゾーン７には制御室からの映像・音声信号によって水中あるいは海底から上方を見上げた時の映像を映し出すことにより、多目的ビジュアル館１内にいて上方を見上げた観客は、あたかも水中にいて上方あるいは海面方向を見ている状態になることから、多目的ビジュアル館内を進行する観客はあたかも海中を潜行して、鯨やしゃち、いるか等の巨大な生き物の大きさあるいは泳ぐ速さを肉眼で確認したという感覚を得られる。
【００２９】
図２〜４は本発明の第２の実施の形態を示す図で、前記特許請求の範囲の請求項２〜３に記載の移動式の多目的ビジュアル館の使用状態を説明する図で、図２は内部にそれぞれの目的に対応させて様々な形状、寸法のスクリーンや操作盤を装着させたトレーラーの側面図、図３は上記トレーラーを４台集結して構成した多目的ビジュアル館の平面図、図４は上記トレーラーを６台集結して構成した多目的ビジュアル館の平面図である。
上記トレーラーは請求項２に記載のように１台であっても、優れた効果をもたらすものであるが、請求項３に記載のように、少なくとも２台以上の複数台を用いることにより、その効果は飛躍的に増大する。
【００３０】
図２〜４において、２１はトレーラー、２２は垂直大画面スクリーン、２３は見上げ大画面スクリーン、２４は上向きハイビジョンスクリーン、２５は展示通路、２７は垂直小画面ハイビジョンスクリーン、２８は見上げ小画面ハイビジョンスクリーン、２９は解説操作ボード、３０は展示通路、３１はテントにより大投射スクリーンを設置できる大空間、、３２は発電・制御専用車である。
【００３１】
図２において図面左側に示すトレーラーは、トレーラーの車軸方向中央部から画面左側の部分を展示通路２５とし、床面に上向きハイビジョンスクリーン２４を、車軸中心側の側面に大画面スクリーン２２を配設しておき、例えば展示対象が水中生物である水族館の場合、上向きハイビジョンスクリーン２４に水中に居る観客が海底を見た際に得られる映像を投影し、大画面スクリーン２２には水中を遊泳している魚類を投影する。これにより展示通路２５を歩行している観客はあたかも自分が水中にいて周囲を観ている感覚で観賞することができる。
【００３２】
また上記トレーラーの車軸中心から画面右側の部分は外壁部および屋根部の一部が上方に跳ね上がり、外壁部内側に取り付けられている見上げ大画面スクリーン２３の画面が下方を向くように配置される。該見上げ大画面スクリーン２３には観客が例えば水中にいて水面方向を見た景色を投影することにより、歩行している観客が上方を見上げた際には自分が水中にいて水面方向を見たときのように、遊泳している魚の腹部をみることができる。
【００３３】
図２において画面右側に示すトレーラーは、車軸中心部から画面左側部分は前記と同様に外壁部および屋根部の一部が上方に跳ね上がり、外壁部内側に取り付けられている見上げ大画面スクリーン２３の画面が下方を向くように構成されており、画面右側の側壁部には側面部に垂直小画面スクリーン２７が配設され、その上方には見上げ小画面ハイビジョンスクリーン２８が配設されている。
【００３４】
このトレーラーの展示通路を歩行してる観客は、例えば展示対象が前記同様、水中生物である場合には、観客が水中にいて遊泳している魚類とほぼ同じ深さの水中から水面方向を観ているような景色を観賞することができる。
【００３５】
トレーラーが図３および図４に示すように配設されている場合には、各トレーラーによって囲繞された空間を覆うようにテント３１を張設し、大投影スクリーンを設置できる大空間を形成させる。
【００３６】
上記実施の形態は、展示対象を水中生物とする水族館の場合について説明したものであるが、これ以外にも投影あるいは送信する映像を適宜選択することにより、対象物を昆虫に限定したことにより設備全体を昆虫館とすることもできるほか、映像内容を適宜選択することにより、通常の動物園に相当する動物館、植物園に相当する植物館、鳥類を対象にした鳥類館とすることも容易になしうるほか、宇宙天体館や各種博物館等にも容易に変化させて、観客のニーズに応えることが可能である。
【００３７】
スクリーンに投射する映像あるいは、スクリーンに送信する映像の信号は、固定式多目的ビジュアル館あるいは移動式多目的ビジュアル館において、それぞれ個々に選択して放映することも可能であるが、これ以外に多目的ビジュアル館を複数館配設した場合に、映像を投射する手段を集中管理制御システムによるものとし、それぞれの多目的ビジュアル館のニーズに応じて、水族館、昆虫館、動物館、植物館、鳥類館、宇宙天体館、博物館等の映像を適宜選択して、遠く離れた集中管理部所から映像を電気信号化して有線あるいは無線によって送信し、遠隔操作によって制御を行う方式を採用することにより、従来の既存の設備では到底得ることが困難であった様々な分野の専門館を各種別、あるいは同じ映像を同時に提供することができ、所有の映像データをより広範囲にかつ迅速送り得ることによって、極めて効率的な運用を行うことが可能になる。
【００３８】
またこれに掛かる経費を集約することができる。またこの集中管理制御システムの施設は、独立して多数のビジュアル館、あるいはインテリヤとして設置されている１台あるいは複数台のスクリーンに配信することも含み、これらのソフト製作の部門とともに企業化することができる。
【００３９】
【発明の効果】
このように本発明によれば下記に示す効果を奏する。
（１）  繁華な都市の中心部や、あるいは逆に交通が不便な山深い村や町等においても、限られた面積の敷地内において、固定式建屋型の多目的ビジュアル館、あるいは荷台部に大型のクリーン等を取り付けたトレーラーを複数台配設して構成した移動式の多目的ビジュアル館を建設あるいは配設し、鯨やいるか等の大型の水生動物や、人が容易に近づくことが困難な非常な深さの海中を行動する深海魚の生態を、ほぼ実物大の大きさで投影して間近で観察させ得る水族館を始め、鬱蒼とした樹木が繁る密林の様子や草花を示す植物館や、その密林の中を徘徊する獰猛な大型の動物や空中を飛翔している鳥類等を同じく実物大の大きさで投影して観察させ得る動物園、微小な昆虫の生態を詳細に観察し得る昆虫館等を、その時のニーズに応じて投影する対象物を適宜選択し、使用するソフトを取り替えてテレビ画面あるいはスクリーンに投影することにより、極めて容易、迅速かつ的確に専門館を現出させ得る。特に深海生物水族館、宇宙天体館はこれまでにない全く新しいニーズを創出するものとなる。
【００４０】
（２）  固定式建屋型の多目的ビジュアル館あるいは移動式の多目的ビジュアル館に映像を投影する手段を集中管理システムによるものとし、多目的ビジュアル館が複数ある場合に、それぞれの多目的ビジュアル館からの要請に応じて、集中管理部署から例えば水族館、昆虫館、動物館、植物館、宇宙天体館、博物館等を現出させるために必要な映像を電気信号化して有線あるいは無線により送信することにより、極めて効率的かつ効果的にそれを運用し得る。
【００４１】
（３）  多目的ビジュアル館に映像を投影する手段を集中管理システムによるものとすることにより、複数の多目的ビジュアル館をグループ管理することができ、共通した安価な映像を提供することが可能になる。
【００４２】
（４）  例えば多目的ビジュアル館の展示内容が水族館である場合、従来の構成の水族館において生じていた、専門学芸員の駐在や、水生動物の補充、あるいは水替えおよび管理等の手間や費用が殆ど不要になり、多目的ビジュアル館（展示館）のランニングコストを著しく低減することが可能になる。
また移動型トレーラービジュアルシステムは、僻地の児童・学童達に対して、文部化学省、自治体、各所教育委員会がこれを採用、運用することによる学習効果は計り知れないものがあると言える。
【００４３】
（５）  展示物が映像であることにより、予め作成したソフトによって展示中の動物あるいは植物等について、その解剖学的な映像等の学習的な展示が可能になるほか、更に集中管理部署との連携により専門学芸員による解説、質疑応答が可能であるほか、その際にも具体的な映像を極めて容易かる迅速に投影し得ることから、従来にない優れた学習を行うことが可能になる。
【００４４】
（６）  展示物が映像であることにより、全展示物をその生息場所ごとに分類し、全世界中の地方的分類あるいは地域・地形的分類等に随時並べ替えて展示することが可能になる。また、世界の著名展示館（水族館等）の展示物（水槽）映像を、あたかも美術館が他の美術館の所蔵品を借り出し展示するように、各所のビジュアル館に配信展示することも可能である。
【００４５】
（７）  本発明に基づく多目的ビジュアル館の運用に際して、下記のような事業が付随的に発生する。すなわち
・展示対象が水生動物である水族館の場合、各水族館の既存水槽の映像化による施設のビジュアル化事業、このために全国に点在する既存の水族館の改修事業
・多目的ビジュアル館が移動式の場合、移動式多目的ビジュアル館の製造・販売業務、移動式多目的ビジュアル館のレンタル業務、前記レンタル業務に付随する移動式多目的ビジュアル館の運営要員の派遣業務である。
・また、何よりも重要な事業とするものは、これらの映像ソフトの製作業務および配信業務である。配信業務は全国のテレビ会社、有線会社の空きチャンネルをネットとして全国展開を計画する。
【図面の簡単な説明】
【図１】本発明の第１の実施の形態を示す平面図である。
【図２】本発明の第２の実施の形態を示す一部破断側面図である。
【図３】本発明の第２の実施の形態を示す平面図である。
【図４】本発明の第２の実施の形態の他の例を示す平面図である。
【符号の説明】
１  多目的ビジュアル館
２  大画面ゾーン
３  個別観察ゾーン
４  立体大画面ゾーン
５  立体画面観察ゾーン
６  潜行艇感覚のゾーン
７  見上げゾーン
８，９  プロジェクター室
１０  ビデオシアターゾーン
１１  集中管理制御室
１２  資料室
１３  入口
２１  トレーラー
２２  大画面スクリーン
２３  見上げ大画面スクリーン
２４  上向きハイビジョンスクリーン
２５，３０  展示通路
２７  垂直小画面ハイビジョンスクリーン
２８  見上げ小画面ハイビジョンスクリーン
２９  解説操作ボード
３１  テントにより大投影スクリーンを設置できる大空間
３２  発電・制御専用車
【図１】
2004237001.tif 000003
【図２】
2004237001.tif 000004
【図３】
2004237001.tif 000005
【図４】
2004237001.tif 000006